(57)【要約】【課題】  複数個の読み取りヘッドまたは記録ヘッドを搭載することにより、データの編集機能や消費電力の削減、データの保護等を可能とする。【解決手段】  システムコントローラ１０は、光ディスク１に記録されているオーディオデータを第２光ピックアップ３ｂで順次読み取り、第２ＲＦアンプ５ｂ、デジタル信号処理回路７、Ｄ／Ａ変換回路１２を介して表示装置２１に出力し、表示装置２１の図示しない内蔵スピーカから出力するとともに、これと並行して、光ディスク１の任意の位置に記録されている連続記録されていない静止画データを第１光ピックアップ３ａで順次読み取り、第１ＲＦアンプ５ａ、デジタル信号処理回路７を介してハードディスク（ＨＤ）１５に順次保存する。そして、この保存した静止画データをハードディスク（ＨＤ）１５から読み出し、表示装置２１のモニタ画面上に表示する。【選択図】  図１
2005353181.tif 000002
【特許請求の範囲】
【請求項１】
複数種類のデータが記録された記録媒体からデータの読み取りを行う読み取りヘッドを２個搭載した情報処理装置において、
一のデータである静止画データを第１の読み取りヘッドで読み取るとともに、別の一のデータである音データを第２の読み取りヘッドで読み取り、この読み取った２つのデータを編集して出力手段に出力する制御手段を備えており、
前記制御手段は、読み取った静止画を前記出力手段であるモニタ画面に表示するとともに表示の切り換えを行いながら、前記音データを再生して前記出力手段であるスピーカから出力する一方、リピート再生時には、前記第２の読み取りヘッドによる再生がリピート再生の終端位置に近づいたとき、前記第１の読み取りヘッドで読み取った静止画を前記モニタ画面に表示した状態で、当該第１の読み取りヘッドをリピート再生の始端位置にシークさせて音データの先読みを開始させることにより、次の再生時には前記第１の読み取りヘッドで音データを再生し、前記第２の読み取りヘッドで静止画を再生するようにヘッドの切り換え制御を行い、さらに、早送りまたは巻き戻しモードを実行するときには、前記第１の読み取りヘッドと前記第２の読み取りヘッドとで、読み取り動作とシーク動作とを交互に繰り返すことを特徴とする情報処理装置。
【請求項２】
複数種類のデータが記録された記録媒体からデータの読み取りを行う読み取りヘッドを複数個搭載した情報処理装置において、
一のデータを一の読み取りヘッドで読み取るとともに、別の一のデータを他の読み取りヘッドで読み取り、この読み取った２つのデータを編集して出力手段に出力する制御手段を備えたことを特徴とする情報処理装置。
【請求項３】
前記一のデータが静止画データであり、前記別の一のデータが音データであるとき、前記制御手段は、読み取った静止画を前記出力手段であるモニタ画面に表示するとともに表示の切り換えを行いながら、前記音データを再生して前記出力手段であるスピーカから出力することを特徴とする請求項２に記載の情報処理装置。
【請求項４】
前記制御手段は、リピート再生時には、前記他の読み取りヘッドによる再生がリピート再生の終端位置に近づいたとき、前記一の読み取りヘッドで読み取った静止画を前記モニタ画面に表示した状態で、当該一の読み取りヘッドをリピート再生の始端位置にシークさせて音データの先読みを開始させることにより、次の再生時には前記一の読み取りヘッドで音データを再生し、前記他の読み取りヘッドで静止画を再生するようにヘッドの切り換えを行うことを特徴とする請求項３に記載の情報処理装置。
【請求項５】
前記制御手段は、早送りまたは巻き戻しモードを実行するときには、前記一の読み取りヘッドと前記他の読み取りヘッドとで、交互に読み取り動作とシーク動作とを繰り返すことを特徴とする請求項２または請求項３に記載の情報処理装置。
【請求項６】
２層記録方式の記録媒体からデータの読み取りを行う読み取りヘッドを２個搭載した情報処理装置において、
１層目のデータを第１の読み取りヘッドで読み取り再生中に同時に、第２の読み取りヘッドで２層目のデータを読み取って記憶手段に順次記憶し、２層目の再生時には前記記憶手段に記憶しておいた２層目のデータを再生することを特徴とする情報処理装置。
【請求項７】
記録ヘッドを２個搭載した情報処理装置において、
書き換え可能な記録媒体にデータを上書きするとき、第１の記録ヘッドで前記記録媒体上に記録されているデータを読み出して記憶手段に保存しながら、第２の記録ヘッドで前記記録媒体上にデータを上書きすることを特徴とする情報処理装置。
【請求項８】
上書きに失敗した場合には、前記記憶手段に保存した元のデータを読み出して前記記録媒体に上書きすることを特徴とする請求項７に記載の情報処理装置。
【発明の詳細な説明】
【技術分野】
【０００１】
本発明は、記録媒体からデータの読み取りを行う読み取りヘッドまたは記録媒体にデータを記録する記録ヘッドを２個搭載した情報処理装置に関する。
【背景技術】
【０００２】
従来より、読み取りヘッドを複数個搭載した情報処理装置が提案されている（例えば、特許文献１、特許文献２参照）。
【０００３】
特許文献１に記載の情報処理装置（情報再生装置）は、一の読み取りヘッドでデータを読み込んでいる間に、別の読み取りヘッドを次に読むべきデータの位置に移動させて待機させておくことにより、２個の読み取りヘッドを用いて連続記録されていないデータを連続再生する構成となっている。
【０００４】
また、特許文献２に記載の情報処理装置（ディスク再生装置）は、両面光ディスクのデータ再生に関し、両面に対して独立に設けられたピックアップを個別に制御するものであって、現在再生中のシーンの次に再生されるデータを１データバッファ分だけ先読みし、先読みしたマルチシーンデータの再生出力期間中に、そのデータに続くマルチシーンデータのリードと、メインシーンデータからマルチシーンデータに切り換えるためのシーク及びモータ回転速度の変更とを行う構成となっている。
【特許文献１】特開平７−３２０３８０号公報
【特許文献２】特開平８−２８７４６９号公報
【発明の開示】
【発明が解決しようとする課題】
【０００５】
上記特許文献１の情報処理装置によれば、アクセス速度を向上させることができる。また、上記特許文献２の情報処理装置によれば、各ディスクセットごとのマルチシーンを含むデータ再生時間を延長化することができる。
【０００６】
しかしながら、上記従来の情報処理装置では、２個の読み取りヘッドを搭載しているにも関わらず、アクセス速度の向上やデータ再生時間の延長化といった一機能のみが実現されており、複数個の読み取りヘッドを他方面において十分に活用できていないといった問題があった。
【０００７】
本発明はかかる問題点を解決すべく創案されたもので、その目的は、複数個の読み取りヘッドまたは記録ヘッドを搭載することにより、データの編集機能や消費電力の削減、データの保護等、他方面においてその機能を十分に発揮し得る情報処理装置を提供することにある。
【課題を解決するための手段】
【０００８】
上記課題を解決するため、本発明の情報処理装置は、複数種類のデータが記録された記録媒体からデータの読み取りを行う読み取りヘッドを２個搭載した情報処理装置において、一のデータである静止画データを第１の読み取りヘッドで読み取るとともに、別の一のデータである音データを第２の読み取りヘッドで読み取り、この読み取った２つのデータを編集して出力手段に出力する制御手段を備えたことを特徴としている。
【０００９】
より具体的には、前記制御手段は、読み取った静止画を前記出力手段であるモニタ画面に表示するとともに表示の切り換えを行いながら、前記音データを再生して前記出力手段であるスピーカから出力するように構成してもよい。
【００１０】
このように、静止画データと音データとを編集してモニタ画面に静止画を表示し、スピーカから音データを出力することで、例えば、好きなグループのアーティストの静止画と音楽とを再生しているときに、例えば音楽は通常通り再生するとともに、静止画についてはグループの中の特定の個人が映っている静止画をモニタ画面に表示する等、ユーザの好みに合った編集を行うことが可能となる。
【００１１】
また、本発明によれば、前記制御手段は、リピート再生時には、第２の読み取りヘッドによる再生がリピート再生の終端位置に近づいたとき、第１の読み取りヘッドで読み取った静止画を前記モニタ画面に表示した状態で、当該第１の読み取りヘッドをリピート再生の始端位置にシークさせて音データの先読みを開始させることにより、次の再生時には第１の読み取りヘッドで音データを再生し、第２の読み取りヘッドで静止画を再生するようにヘッドの切り換え制御を行うように構成してもよい。
【００１２】
このように、リピート再生時には、第２の読み取りヘッドによる再生がリピート再生の終端位置に近づいたとき、第１の読み取りヘッドをシークさせて音データの先読みを開始させるとともに、第２の読み取りヘッドを今度は音データの再生から静止画データの再生に切り換えることにより、シーク時間を短縮することができるとともに、音データと静止画データのデータ飛びを無くし、スムーズなリピート再生を行うことができる。
【００１３】
さらに、本発明によれば、前記制御手段は、早送りまたは巻き戻しモードを実行するときには、第１の読み取りヘッドと第２の読み取りヘッドとで、読み取り動作とシーク動作とを交互に繰り返すように構成してもよい。これにより、安定した早送りまたは巻き戻しを行うことができる。
【００１４】
また、本発明の情報処理装置は、２層記録方式の記録媒体からデータの読み取りを行う読み取りヘッドを２個搭載した情報処理装置において、１層目のデータを第１の読み取りヘッドで読み取り再生中に同時に、第２の読み取りヘッドで２層目のデータを読み取って記憶手段に順次記憶し、２層目の再生時には前記記憶手段に記憶しておいた２層目のデータを再生することを特徴としている。
【００１５】
このように、本発明によれば、１層目の再生が終わると同時に、保存しておいた２層目のデータを再生することにより、層の切り換え時の音飛び及び画像飛びを無くすことができる。また、２層目のデータ再生時には記録媒体であるディスクの回転を停止できるので、消費電力を抑えることができる。
【００１６】
また、本発明の情報処理装置は、記録ヘッドを２個搭載した情報処理装置において、書き換え可能な記録媒体にデータを上書きするとき、第１の記録ヘッドで前記記録媒体上に記録されているデータを読み出して記憶手段に保存しながら、第２の記録ヘッドで前記記録媒体上にデータを上書きすることを特徴としている。そして、上書きに失敗した場合には、前記記憶手段に保存した元のデータを読み出して前記記録媒体に上書きするように構成している。これにより、データの書き込みに失敗した場合でも、記録媒体の状態を最悪でも元データの状態に戻すことができる。
【発明の効果】
【００１７】
本発明の情報処理装置によれば、静止画データと音データとを編集してモニタ画面に静止画を表示し、スピーカから音データを出力することで、例えば、好きなグループのアーティストの静止画映像と音楽とを再生しているときに、例えば音楽は通常通り再生するとともに、静止画についてはグループの中の特定の個人が映っている静止画をモニタ画面に表示する等、ユーザの好みに合った編集を行うことができる。また、本発明によれば、リピート再生時には、第２の読み取りヘッドによる再生がリピート再生の終端位置に近づいたとき、第１の読み取りヘッドをシークさせて音データの先読みを開始させるとともに、第２の読み取りヘッドを今度は音データの再生から静止画データの再生に切り換えることにより、シーク時間を短縮することができるとともに、音データと静止画データのデータ飛びを無くし、スムーズなリピート再生を行うことができる。さらに、本発明によれば、早送りまたは巻き戻しモードを実行するときには、第１の読み取りヘッドと第２の読み取りヘッドとで、読み取り動作とシーク動作とを交互に繰り返すことにより、安定した早送りまたは巻き戻しを行うことができる。
【００１８】
また、本発明の情報処理装置によれば、１層目のデータを第１の読み取りヘッドで読み取り再生中に同時に、第２の読み取りヘッドで２層目のデータを読み取って記憶手段に順次記憶し、２層目の再生時には前記記憶手段に記憶しておいた２層目のデータを再生するように構成したので、層の切り換え時の音飛び及び画像飛びを無くすことができる。また、２層目のデータ再生時には記録媒体であるディスクの回転を停止できるので、消費電力を抑えることができる。
【００１９】
また、本発明の情報処理装置によれば、書き換え可能な記録媒体にデータを上書きするとき、第１の記録ヘッドで記録媒体上に記録されているデータを読み出して記憶手段に保存しながら、第２の記録ヘッドで記録媒体上にデータを上書きすることにより、上書きに失敗した場合には、記憶手段に保存した元のデータを読み出して記録媒体に上書きすることで、記録媒体の状態を最悪でも元データの状態に戻すことができる。
【発明を実施するための最良の形態】
【００２０】
以下、本発明の実施の形態について、図面を参照して説明する。
【００２１】
図１は、本発明の情報処理装置であるＤＶＤ装置のシステム構成を示している。
【００２２】
装填された光ディスク１にデータを書き込むとともに光ディスク１からデータを読み込む第１及び第２光ピックアップ３ａ，３ｂの出力は、それぞれに対応して設けられた第１及び第２ＲＦアンプ５ａ，５ｂを介してデジタル信号処理回路７に接続されており、デジタル信号処理回路７の出力は、各光ピックアップ３ａ，３ｂによるデータの書き込み時や読み込み時のレーザ出力を制御するレーザドライバ８に接続されている。また、サーボ処理回路９の出力は、各光ピックアップ３ａ，３ｂを光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２３】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、主に光ディスク１から読み込んだデータを保存しておくためのハードディスク（ＨＤ）１５が双方向に接続されている。さらに、デジタル信号処理回路７には、デジタルのテレビジョン放送信号を受信するチューナ回路（ＢＳチューナ，ＣＳチューナ等）１６が接続されている。
【００２４】
システムコントローラ１０には、光ディスク１のパラメータやレーザパワーのパラメータ等の固有情報を格納しておくためのＥＥＰＲＯＭ１１が双方向に接続されているとともに、リモコン１８からの赤外線信号を受信する受信部１４が接続されている。また、システムコントローラ１０には、装置本体前面に設けられたＬＣＤ等からなる表示パネル１３が接続されている。
【００２５】
デジタル信号処理回路７は、第１光ピックアップ３ａ及び第２光ピックアップ３ｂによって読み込まれたデータを個別に処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２６】
システムコントローラ１０は、図示は省略しているがＣＰＵ、ＲＯＭ、ＲＡＭ等から構成されており、第１光ピックアップ３ａ及び第２光ピックアップ３ｂを個別に制御して、後述する種々の処理を実行する。これらの処理を実行するためのプログラムはＲＯＭに予め格納されており、システムコントローラ１０は、各処理の実行時にはＲＯＭから読み込んだプログラムをＲＡＭ上に展開して処理を実行する。
【００２７】
次に、上記構成のＤＶＤ装置において、第１光ピックアップ３ａ及び第２光ピックアップ３ｂを用いた各種処理動作の実施例について説明する。
【実施例１】
【００２８】
本実施例１は、複数種類のデータが記録されたマルチセッションの光ディスク１から、第１光ピックアップ３ａと第２光ピックアップ３ｂを用いてそれぞれのデータを読み取り、この読み取ったデータを編集して表示装置２１や表示装置２１に内蔵された図示しないスピーカから出力する実施例である。ここで、本実施例１では、光ディスク１に記録された一つのデータが静止画データであり、他の一つのデータが音データ（オーディオデータ）である場合について説明する。すなわち、アーティストの楽曲をそのアーティストの静止画とともに再生する実施例である。以下、図２に示すフローチャートを参照して説明する。
【００２９】
光ディスク１が装■されると、システムコントローラ１０は、まず光ディスク１のリードイン領域に書き込まれているディスク情報を何れかの光ディスク（例えば、第１光ディスク１３ａ）で読み込んでＤＲＡＭ６（ＥＥＰＲＯＭ１１でもよい）に保存する（ステップＳ１）。システムコントローラ１０は、以後、このＤＲＡＭ６に保存されているディスク情報に基づき、第１光ピックアップ３ａ及び第２光ピックアップ３ｂを用いて光ディスク１の再生動作を制御する（ステップＳ２、ステップＳ６）。
【００３０】
すなわち、システムコントローラ１０は、光ディスク１に記録されているオーディオデータを第２光ピックアップ３ｂで順次読み取り、第２ＲＦアンプ５ｂで増幅した後、デジタル信号処理回路７に入力する（ステップＳ２）。デジタル信号処理回路７では、第２ＲＦアンプ５ｂから入力されたオーディオデータを一旦ＤＲＡＭ６に格納した後、再びＤＲＡＭ６から読み出し、各種の処理を施して復調した後（ステップＳ３）、この復調したオーディオデータを音声伸長処理してＤ／Ａ変換回路１２に出力する。Ｄ／Ａ変換回路１２は、音声伸長処理されたオーディオデータをアナログ信号に変換して表示装置２１に出力し、表示装置２１の図示しない内蔵スピーカから出力する（ステップＳ４）。システムコントローラ１０は、このような処理（ステップＳ２〜ステップＳ４）を、演奏終了まで（ステップＳ５でＹｅｓと判断されるまで）繰り返す。
【００３１】
一方、システムコントローラ１０は、これと並行して、光ディスク１の任意の位置に記録されている連続記録されていない静止画データを第１光ピックアップ３ａで順次読み取り、第１ＲＦアンプ５ａで増幅した後、デジタル信号処理回路７に入力する（ステップＳ６）。デジタル信号処理回路７では、第１ＲＦアンプ５ａから入力された静止画データに各種の処理を施して復調した後、この復調した静止画データをハードディスク（ＨＤ）１５に順次保存する（ステップＳ７）。そして、この保存した静止画データをハードディスク（ＨＤ）１５から読み出し、Ｄ／Ａ変換回路１２で静止画データをアナログ信号に変換した後表示装置２１に出力し、表示装置２１のモニタ画面上に表示する（ステップＳ８）。
【００３２】
ここで、光ディスク１に記録されている静止画データのうちどのデータを読み取るのかについては、ユーザによって設定可能とする。例えば、アーティストがＣ，Ｄ，Ｅ３人のグループであり、ユーザはその中の特にＤというアーティストがお気に入りであったとすると、例えばリモコン１８を使用して、再生する静止画データとしてアーティストＤの映っている静止画を指定する。これにより、システムコントローラ１０では、指定されたアーティストＤの映っている静止画データの位置をＤＲＡＭ６に保存されているディスク情報から抽出し、その位置データに基づいて静止画データを順次読み取り、ハードディスク（ＨＤ）１５に順次保存する。そして、その保存している静止画データを、所定時間（例えば、１０秒等）ごとに（ステップＳ９でＹｅｓと判断されるたびに）順次切り換えながら再生し（ステップＳ１０）、モニタ画面に表示する（ステップＳ８）。
【００３３】
ここで、アーティスト名（Ｃ，Ｄ，Ｅ）と静止画データとは予め関連付けられた状態で光ディスク１のディスク情報に格納されているものとし、システムコントローラ１０は、ディスク装■時に光ディスク１から読み込み、ＤＲＡＭ６に格納しているこのディスク情報に基づいて、ユーザの設定に従った上記の再生処理を実行する。一方、このような処理（ステップＳ８〜ステップＳ１０）を、演奏終了まで（ステップＳ１１でＹｅｓと判断されるまで）繰り返す。
【００３４】
このような処理により、ユーザは、好きなグループのアーティストの静止画と音楽とを再生しているときに、音楽は通常通り再生し、静止画についてはグループの中の特定の個人（例えばＤというアーティスト）が映っている静止画を順次切り換えながらモニタ画面に表示する等、ユーザの好みに合った編集を行うことが可能となる。
【実施例２】
【００３５】
本実施例２は、上記実施例１のような再生動作を行っているときに、例えばユーザがリモコン１８を操作してＡ−Ｂリピート再生を指示した場合の実施例である。以下、図３に示すフローチャートを参照して説明する。
【００３６】
すなわち、光ディスク１に記録されているオーディオデータを第２光ピックアップ３ｂで順次読み取り、光ディスク１の任意の位置に記録されている連続記録されていない静止画データを第１光ピックアップ３ａで読み取っている状態において、Ａ−Ｂリピート再生指示が受信部１４を介して入力されると、システムコントローラ１０は、第２光ピックアップ３ｂによるオーディオデータの再生がリピート再生の終端位置に近づいたかどうかを判断する（ステップＳ２１）。
【００３７】
その結果、第２光ピックアップ３ｂによるオーディオデータの再生がリピート再生の終端位置に近づいたとき（ステップＳ２１でＹｅｓと判断されると）、その時点で第１光ピックアップ３ａにより読み取られハードディスク（ＨＤ）１５に保存されている静止画データを表示装置２１のモニタ画面に表示した状態で（ステップＳ２２）、第１光ピックアップ３ａをリピート再生の始端位置にシークさせ（ステップＳ２３）、オーディオデータの先読みを開始させる（ステップＳ２４）。
【００３８】
そして、第２光ピックアップ３ｂによりリピート再生の終端位置まで再生を終了すると（ステップＳ２５でＹｅｓと判断されると）、引き続き第１光ピックアップ３ａで先読みしているオーディオデータの再生を開始する（ステップＳ２６）。以後は、この第１の光ピックアップ３ａがオーディオデータの再生ヘッドとなる。
【００３９】
一方、リピート再生の終端位置まで再生し終わった第２光ピックアップ３ｂは、この時点でオーディオデータの再生を終了し、引き続き静止画データの再生動作に移行する（ステップＳ２７）。
【００４０】
すなわち、システムコントローラ１０は、オーディオデータのリピート再生がリピート再生の終端位置近傍まできたときに、第１光ピックアップ３ａを静止画データの再生用からオーディオデータの再生用に切り換えるとともに、リピート再生の終端位置まで再生し終えると、第２光ピックアップ３ｂをオーディオデータの再生用から静止画データの再生用に切り換える。このように切り換えてリピート再生を行い、再度リピート再生の終端位置まで再生し終わると、再び、第１光ピックアップ３ａをオーディオデータの再生用から静止画データの再生用に切り換えるとともに、第２光ピックアップ３ｂを静止画データの再生用からオーディオデータの再生用に切り換える。
【００４１】
本実施例２では、このようなヘッドの切り換え処理を、リピート再生を繰り返すたびに行っている。これにより、リピート再生時のＡからＢへのシーク時間を短縮することができるとともに、オーディオデータと静止画データのデータ飛びを無くし、スムーズなリピート再生を行うことができる。
【実施例３】
【００４２】
本実施例３は、上記実施例１のような再生動作を行っているときに、例えばユーザがリモコン１８を操作して早送りまたは巻き戻し再生を指示した場合の実施例である。
【００４３】
すなわち、光ディスク１に記録されているオーディオデータを第２光ピックアップ３ｂで順次読み取り、光ディスク１の任意の位置に記録されている連続記録されていない静止画データを第１光ピックアップ３ａで読み取っている状態において、早送りまたは巻き戻し再生指示が受信部１４を介して入力されると、システムコントローラ１０は、この指示に基づき、早送り再生または巻き戻し再生を実施する。この場合、オーディオデータの早送り再生または巻き戻し再生については、従来と同様に再生処理を実施する。一方、静止画データについても、オーディオデータの再生処理とほぼ同様に実施する。例えば、静止画データの通常の再生順が、静止画ｍ１、ｍ２、ｍ３、ｍ４、・・・ｍ１０、・・・であった場合、例えば２倍速の早送り再生時には、静止画ｍ１、ｍ３、ｍ５、・・・と一つ飛ばしに再生し、３倍速の早送り再生時には、静止画ｍ１、ｍ４、ｍ７、・・・と二つ飛ばしに再生する。なお、巻き戻し再生の場合も、説明は省略するが早送り再生の場合と全く同様である。これにより、オーディオデータと静止画データを同時に再生している場合においても、早送り再生または巻き戻し再生を安定して行うことが可能となる。
【実施例４】
【００４４】
本実施例４は、光ディスク１が２層ディスクの場合であって、１層目のデータを再生後に２層目のデータを再生する場合の実施例である。
【００４５】
すなわち、光ディスク１に記録されている１層目のデータを第１光ピックアップ３ａで読み取り再生中に、同時に第２光ピックアップ３ｂで光ディスク１の２層目のデータを読み取り、これをハードディスク（ＨＤ）１５に順次保存していく。これにより、１層目のデータを再生し終わった時点では、２層目のデータも第２光ピックアップ３ｂによって読み取られ、その全てがハードディスク（ＨＤ）１５に保存されている。従って、１層目のデータの再生後、２層目のデータの再生には、ハードディスク（ＨＤ）１５に保存しておいた２層目のデータを再生する。これにより、各層の切り換え時の音飛び及び画像飛びを無くすことができる。また、本実施例４では、２層目のデータ再生時には光ディスク１の回転駆動や第１及び第２光ピックアップ３ａ，３ｂの動作を停止できるので、消費電力を抑えることも可能である。
【実施例５】
【００４６】
本実施例５は、書き換え可能な光ディスク１にデータを上書きする場合の実施例である。
【００４７】
すなわち、上書きでデータの記録を行う場合、システムコントローラ１０は、第１光ピックアップ３ａで光ディスク１に記録されているデータを読み取り、これをハードディスク（ＨＤ）１５に順次保存していく。そして、この読み取り動作と並行して、第２光ピックアップ３ｂで光ディスク１上に新たなデータを上書きしていく。ここで、上書きに失敗した場合、システムコントローラ１０は、ハードディスク（ＨＤ）１５に保存しておいた元のデータを読み出して光ディスク１に再び上書きする。これにより、上書きに失敗しても、最悪、光ディスク１を元データの状態に戻すことが可能となる。
【図面の簡単な説明】
【００４８】
【図１】本発明の情報処理装置であるＤＶＤ装置のシステム構成図である。
【図２】実施例１の処理動作を説明するためのフローチャートである。
【図３】実施例２の処理動作を説明するためのフローチャートである。
【符号の説明】
【００４９】
１  光ディスク
２  スピンドルモータ
３ａ  第１光ピックアップ（第１の読み取りヘッド）
３ｂ  第２光ピックアップ（第２の読み取りヘッド）
４  フィードモータ
５ａ  第１ＲＦアンプ
５ｂ  第２ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  ハードディスク（記憶手段）
１６  チューナ回路
１８  リモコン
２１  表示装置
【図１】
2005353181.tif 000003
【図２】
2005353181.tif 000004
【図３】
2005353181.tif 000005